(57)【特許請求の範囲】
【請求項１】
可撓性フィルムの表裏面部及び両側面ガセット部を有し、表裏面部の両側に両側面ガセット部が折り込まれ且つ表裏面部及び両側面ガセット部の周囲を接着することにより袋状に形成された袋本体と、表裏面部の上シール部に介在接着された注入具と、表裏面部の上シール部に形成された吊下げ用の孔と、を有し、一方の側面ガセット部の折込み長さが、他方の側面ガセット部の折込み長さに比して大きく形成されており、注入具が、他方の側面ガセット部寄りに接着され、且つ吊下げ用の孔が、上シール部の幅方向中央部又はその近傍に位置して形成されており、充填物の充填後、前記袋本体の幅方向中心部を基準として、前記一方の側面ガセット部側の重量と前記他方の側面ガゼット部側の重量とが大凡均衡することを特徴とする吊下げ袋状容器。
【請求項２】
可撓性フィルムの表裏面部及び両側面ガセット部を有し、表裏面部の両側に両側面ガセット部が折り込まれ且つ表裏面部及び両側面ガセット部の周囲を接着することにより袋状に形成された袋本体と、表裏面部の上シール部に介在接着された注入具と、表裏面部の上シール部に形成された吊下げ用の孔と、を有し、一方の側面ガセット部の重量が、他方の側面ガセット部の重量に比して大きく形成され、注入具が、他方の側面ガセット部寄りに接着され、且つ吊下げ用の孔が、上シール部の幅方向中央部又はその近傍に位置して形成されており、充填物の充填後、前記袋本体の幅方向中心部を基準として、前記一方の側面ガセット部側の重量と前記側面ガゼット部側の重量とが大凡均衡することを特徴とする吊下げ袋状容器。
【発明の詳細な説明】
【技術分野】
【０００１】
本発明は、経腸栄養剤などの流動性の充填物を収納する吊下げ袋状容器に関する。
【背景技術】
【０００２】
従来、ビタミン類やアミノ酸などを含有する経腸栄養剤などの流動性の食品や輸液は、可撓性のある吊下げ袋状容器に充填され、経口或いは経腸等により患者に投与されている。
かかる吊下げ袋状容器としては、図８に示すように、可撓性フィルムの表裏面部２０及び両側面ガセット部２１，２２を有し、表裏面部２０の両側に両側面ガセット部２１，２２が折り込まれ且つ表裏面部２０及び両側面ガセット部２１，２２の周囲を接着することにより袋状に形成された袋本体２３と、表裏面部２０の上シール部２０ａに介在接着された注入具２４と、注入具２４の側方であって上シール部２０ａに形成された吊下げ用の孔２５と、表裏面部２０の下シール部２０ｃの幅方向中央部に介在接着された注出具２６と、を有し、両側面ガセット部２１，２２の折込み長さは、両方とも均等に形成されている。
【０００３】
具体的には、両方の側面ガセット部２１，２２を形成する両フィルム片は、同幅で、幅方向中央部にて折り畳まれ、表裏面部２０の両側に挿入されている。この両方の側面ガセット部２１，２２の両側辺は、表裏面部２０の側辺にそれぞれ接着され、且つ側面ガセット部２１，２２の上下辺は、表裏面部２０の上下辺の両側領域に接着されている。さらに、表裏面部２０の上辺の中央領域は、注入具２４を挟み込んだ状態で接着されている。
従って、袋本体２３の上シール部２０ａの幅方向両側領域は、表裏面部２０と両側面ガセット部２１，２２とが接着され、上シール部２０ａの幅方向中央領域は、注入具２４を挟んで表裏面部２０が接着されていると共に、吊下げ用の孔２５が形成されている。
【０００４】
上記吊下げ袋状容器は、注入具２４を通じて経腸栄養剤などの流動性の充填物や希釈用の水等が充填される。該吊下げ袋状容器は、吊下げ用の孔２５をフックなどの被掛止部材に吊下げ支持し且つ注出具２６にホースなどを取り付けることによって使用される。かかる吊下げ使用により、袋状容器の下シール部２０ｃの中央部に設けられた注出具２６から充填物が注出され、患者に投与できる。
【０００５】
しかしながら、従来の袋状容器は、被掛止部材に吊り下げた際、袋状容器が傾くため、充填物が減ってくると、注出具２６から注出されない充填物が生じる。その結果、容器内に比較的多くの充填物が残ってしまうという問題点がある。
具体的には、従来の袋状容器は、吊下げ用の孔２５及び比較的重量のある注入具２４が、袋本体２３の幅方向中央部に設けられておらず、該孔２５は、一方の側面ガセット部２１寄りに設けられ、注入具２４は、他方の側面ガセット部２２寄りに設けられている。従って、孔２５を被掛止部材に引っ掛け、充填済みの袋状容器を吊り下げると、孔２５を基準として他方の側面ガセット部２２側の重量が重くなることから、容器両側のバランスが取れず、袋状容器は傾いた状態となる。
この点、例えば、吊下げ用の孔２５を、袋本体２３の上シール部２０ａの幅方向中央部に近づけて形成すれば、吊下げ使用時の袋状容器の傾きを随分と抑制できる。
しかしながら、袋状容器の注入具２４は、表裏面部２０の間に介在させて接着しなければならない（この種の袋状容器の構造上、表裏面部２０と側面ガセット部２１，２２が接着されている上シール部２０ａの両側領域に、注入具２４は接着できず、注入具２４は、上シール部２０ａの中央領域に接着しなければならない）。さらに、吊下げ用の孔２５についても、上シール部２０ａの中央領域に形成しなければならないという制約がある。
従って、限られた領域である上シール部２０ａの中央領域に、注入具２４と吊下げ用の孔を幅方向に並べて設けなければならない。
しかしながら、注入具２４の被接着部２７は幅広であるため、上シール部２０ａの中央領域の大半に注入具２４の被接着部２７が介在する。吊下げ用の孔２５は、その被接着部２７を避けて形成しなければならないため、従来の袋状容器は、吊下げ用の孔２５を、袋本体２３の上シール部２０ａの幅方向中央部に形成することができないのである。
【０００６】
尚、この種の吊下げ袋状容器として、特開２０００−６９９９公報には、表裏面部の一方側にのみ側面ガセット部が設けられた構成が開示されている。しかしながら、該公報には、吊下げ使用時に袋状容器が傾くという上記問題点及びその解決手段について開示されていない。また、該公報記載の吊下げ袋状容器は、側面ガセット部が一方側にしか設けられていないので、袋状容器の容量を十分に確保できない。
【０００７】
【特許文献１】特開２０００−６９９９公報
【発明の開示】
【発明が解決しようとする課題】
【０００８】
そこで、本発明は、吊下げ用の孔を利用して吊下げ使用時に容器全体が傾き難く、容量も十分に確保できる吊下げ袋状容器を提供することを課題とする。
【課題を解決するための手段】
【０００９】
上記問題点に鑑みて、本発明は、可撓性フィルムの表裏面部及び両側面ガセット部を有し、表裏面部の両側に両側面ガセット部が折り込まれ且つ表裏面部及び両側面ガセット部の周囲を接着することにより袋状に形成された袋本体と、表裏面部の上シール部に介在接着された注入具と、表裏面部の上シール部に形成された吊下げ用の孔と、を有し、一方の側面ガセット部の折込み長さが、他方の側面ガセット部の折込み長さに比して大きく形成されており、注入具が、他方の側面ガセット部寄りに接着され、且つ吊下げ用の孔が、上シール部の幅方向中央部又はその近傍に位置して形成されており、充填物の充填後、袋本体の幅方向中心部を基準として、一方の側面ガセット部側の重量と他方の側面ガゼット部側の重量とが大凡均衡する吊下げ袋状容器を提供する。
【００１０】
上記吊下げ袋状容器の袋本体は、表裏面部の両側に側面ガセット部が設けられているので、充填物を充填する容量を十分に確保できる。
さらに、一方の側面ガセット部の折込み長さが、他方の側面ガセット部の折込み長さに比して大きく形成されているので、充填物が充填された際には一方の側面ガセット部側が大きく膨らむことから、袋本体の幅方向中心部を基準として、一方の側面ガセット部側が他方の側面ガセット部側に比して重くなる。
他方では、この袋状容器の注入具は、他方の側面ガセット部寄りに接着されているので、袋本体の幅方向中心部を基準として、他方の側面ガセット部側に注入具の重量が加わる。
従って、充填済み袋状容器は、袋本体の幅方向中心部を基準として、上記折込み長さに起因する一方の側面ガセット部側の重量と、注入具の接着に起因する他方の側面ガゼット部側の重量とが、大凡均衡する。
かかる両側重量の均衡する袋状容器は、その吊下げ用の孔が上シール部の幅方向中央部又その近傍に位置して形成されているので、該孔を利用して吊下げ袋状容器を吊下げて使用した際に、容器全体が傾き難くなる。
【００１１】
また、本発明は、可撓性フィルムの表裏面部及び両側面ガセット部を有し、表裏面部の両側に両側面ガセット部が折り込まれ且つ表裏面部及び両側面ガセット部の周囲を接着することにより袋状に形成された袋本体と、表裏面部の上シール部に介在接着された注入具と、表裏面部の上シール部に形成された吊下げ用の孔と、を有し、一方の側面ガセット部の重量が、他方の側面ガセット部の重量に比して大きく形成され、注入具が、他方の側面ガセット部寄りに接着され、且つ吊下げ用の孔が、上シール部の幅方向中央部又はその近傍に位置して形成されており、充填物の充填後、袋本体の幅方向中心部を基準として、一方の側面ガセット部側の重量と他方の側面ガゼット部側の重量とが大凡均衡する吊下げ袋状容器を提供する。
【００１２】
上記吊下げ袋状容器も同様に、裏面部の両側に側面ガセット部が設けられているので、充填物を充填する容量を十分に確保できる。
さらに、一方の側面ガセット部の重量が、他方の側面ガセット部の重量に比して大きく形成されているので、袋本体の幅方向中心部を基準として、一方の側面ガセット部側が他方の側面ガセット部側に比して重くなる。
他方では、この袋状容器の注入具は、他方の側面ガセット部寄りに接着されているので、袋本体の幅方向中心部を基準として、他方の側面ガセット部側に注入具の重量が加わる。
従って、充填済み袋状容器は、袋本体の幅方向中心部を基準として、上記一方の側面ガセット部側の重量と、注入具の接着に起因する他方の側面ガゼット部側の重量とが、大凡均衡する。
かかる両側重量の均衡する袋状容器は、その吊下げ用の孔が上シール部の幅方向中央部又その近傍に位置して形成されているので、該孔を利用して吊下げ袋状容器を吊下げて使用した際に、容器全体が傾き難くなる。
【発明の効果】
【００１３】
本発明に係る吊下げ袋状容器は、容量を十分に確保することができる。また、吊下げ袋状容器は、吊下げ用の孔を利用して吊下げた際に、容器全体が傾き難く、従って、流動食などを患者に投与する袋状容器として好適に用いることができる。
【発明を実施するための最良の形態】
【００１４】
以下、本発明について、図面を参照しつつ具体的に説明する。
＜第１実施形態＞
図１及び図２に於いて、１は、可撓性フィルムからなる表裏面部２，３と表裏面部２，３の両側に折り込まれた可撓性フィルムからなる両側面ガセット部５，６とを有し、表裏面部２，３と両側面ガセット部５，６の周囲が接着された袋本体１０と、表裏面部２，３の上シール部１０ａに介在して接着された注入具７と、表裏面部２，３の下シール部１０ｃに介在して接着された注出具８と、表裏面部２，３の上シール部１０ａに形成された吊下げ用の孔９と、を備える吊下げ袋状容器を示す。
【００１５】
表裏面部２，３の両側に折り込まれた両側面ガセット部５，６は、一方の側面ガセット部５の折込み長さＬ５が、他方の側面ガセット部６の折込み長さＬ６よりも大きく（長く）形成されている。
一方の側面ガセット部５の折込み長さＬ５と他方の側面ガセット部６の折込み長さＬ６の比率は特に限定されないが、充填済み袋状容器１を吊り下げて充填物が減ってきた際、左右両側のバランスを保って袋状容器１の傾きを良好に防止できることから、折込み長さＬ５：折込み長さＬ６は、５：４〜５：１程度に形成されていることが好ましく、更に、３：２〜３：１程度に形成されていることがより好ましい。具体的には、表裏面部２，３の幅が１５０〜２００ｍｍ、高さが１７０〜２２０ｍｍ程度の袋本体１０の場合、一方の側面ガセット部５の折込み長さＬ５は、４０〜８０ｍｍ程度、他方の側面ガセット部６の折込み長さＬ６は、２０〜３０ｍｍ程度に形成することが好ましい。
【００１６】
表面部２、裏面部３及び両側面ガセット部５，６は、所定形状の可撓性フィルム片からなり、各部２，３，５，６の周縁内面を互いに接着（熱シール性を有するフィルムを用いた場合には、熱融着にて接着）することにより袋本体１０が形成されている。
従って、袋本体１０の周囲には、上シール部１０ａ、両側シール部１０ｂ及び下シール部１０ｃが形成されている。
【００１７】
表裏面部２，３は、例えば、矩形状のフィルム片からなる。両側面ガセット部５，６は矩形状のフィルムからなるが、一方の側面ガセット部５を構成するフィルムの幅は、他方の側面ガセット部６のフィルムの幅よりも長いものが用いられている。
尚、側面ガセット部５，６の上下のコーナー部は、表裏面部２，３を部分的に接着させるため、図２に示すように切り欠かれている。
両側面ガセット部５，６を構成するフィルムは、幅方向中央部に於いて縦方向に折り畳まれ、該折り込み線を内側にして表裏面部２，３の両側にそれぞれ挿入されている。
一方の側面ガセット部５の両側辺は、表裏面部２，３の一側辺にそれぞれ接着され、且つ一方の側面ガセット部５の上下辺は、表裏面部２，３の上下辺の一側領域（表裏面部２，３の上下辺幅方向中央領域を除く）に接着されている。他方の側面ガセット部６の両側辺も同様に、表裏面部２，３の他側辺にそれぞれ接着され、且つ他方の側面ガセット部６の上下辺は、表裏面部２，３の上下辺の他側領域（表裏面部２，３の上下辺幅方向中央領域を除く）に接着されている。従って、袋本体１０の上シール部１０ａ及び下シール部１０ｃの幅方向中央領域は、側面ガセット部５，６が介在していない。
尚、袋本体１０の内部（収納部）の下方側を傾斜状にして、充填物を注出具８側へ導き易くするため、袋本体１０の下シール部１０ｃは、図１に示すように、注出具８側へと下がる傾斜状に接着されている。
【００１８】
表裏面部２，３の上シール部１０ａの幅方向中央領域は、注入具７を挟み込んだ状態で接着されていると共に、吊下げ用の孔９が形成されている。
注入具７及び吊下げ用の孔９は、表裏面部２，３の上シール部１０ａのうち、側面ガセット部５，６が接着されていない幅方向中央領域に並んで設けられている。そして、注入具７は、折込み長さの短い他方の側面ガセット部６寄りに設けられていると共に、吊下げ用の孔９は、上シール部１０ａの幅方向中央部の近傍に位置して貫通状に形成されている。該孔９の具体的な形成位置は、両側面ガセット部５，６の折込み長さの程度、注入具７の重量などに応じて適宜設定されるものであり、特に限定されないが、例えば表裏面部２，３の幅が１５０〜２００ｍｍ、高さが１７０〜２２０ｍｍ程度の袋本体１０の場合、両側のバランスを取るために、上シール部１０ａの幅方向中心部から２５ｍｍ以内程度が好ましく、更に２０ｍｍ以内程度がより好ましい。
また、孔９の形状は特に限定されないが、通常円形状に形成され、開口径としては、通常３〜１５ｍｍ程度である。
【００１９】
注入具７は、袋本体１０内に連通する貫通孔（図示せず）が内設され、且つ表裏面部２，３に介在接着される被接着部７３を有する本体部７１と、該本体部７１の注入口に着脱されるキャップ７２とを有する。
注出具８は、袋本体１０内に連通する貫通孔（図示せず）が内設され、且つ表裏面部２，３に介在接着される被接着部８３を有し、下端部にホースを容易に嵌入接続するためのテーパ面８２が形成されている。注出具８は、予め注出口が形成され且つ該注出口を封緘するキャップが設けられているものでもよいし、使用時に注出口を形成可能なものでもよい。該注出具８は、下シール部１０ｃの幅方向中央部に接着されている。
【００２０】
注入具７及び注出具８は、特に限定されず、各種の合成樹脂、アルミニウムなどの金属などからなる成形品を用いることができるが、袋本体１０に対して熱融着にて簡易に取り付けることができることから、少なくとも被接着部７３，８３の周面が表裏面部２，３の内面に対して熱融着可能なものが好ましい。このような注入具７及び注出具８としては、例えば、ポリエチレン、ポリプロピレンなどの合成樹脂成型品が例示される。
尚、注入具７の重さは、通常、３〜１０ｇ程度のものが用いられる。また、注入具７の被接着部７３の幅は、２０〜５０ｍｍ程度のものが好ましい。
【００２１】
表裏面部２，３及び側面ガセット部５，６を構成するフィルムは、特に限定されず、この種の袋状容器に用いられている従来公知のものを使用できる。例えば、該フィルムとしては、ベースフィルムの最内面にシーラント層を有する積層フィルムを用いることができる。また、必要に応じて、遮光層、紫外線吸収層、ガスバリア層などの各種機能層が積層されている積層フィルムを用いることもできる。
ベースフィルムとしては、例えば、ポリエチレンテレフタレートなどのポリエステル系、ポリプロピレン、環状オレフィンなどのポリオレフィン系、ポリスチレンなどのポリスチレン系、ポリ塩化ビニル、ポリアミド、ポリカーボネートなどの熱可塑性樹脂から選ばれる１種又は２種以上の混合物などからなるフィルム、及びこれらの積層フィルムなどを用いることができ、汎用的であること、耐熱性があり又強度的にも優れることからポリエチレンテレフタレートなどのポリエステル系フィルムを用いることが好ましい。かかるベースフィルムとして、紫外線吸収剤を練り込んだ樹脂組成物にて製膜されたフィルムや、紫外線吸収剤を浸透させたフィルムなどを用いることもできる。
【００２２】
シーラント層としては、熱融着可能なものであれば特に限定されず、例えば、線状低密度ポリエチレン、高密度ポリエチレン、メタロセン触媒ポリエチレンなどのポリエチレン、ポリプロピレン、エチレン−酢酸ビニル共重合体などを用いることができる。シーラント層は、例えばベースフィルムの内面側にドライラミネート法などによって積層することができる。
尚、シーラント層が設けられたフィルムは、ヒートシール等によって簡易に袋本体１０を形成することができるので好ましいが、ヒートシールにより袋本体１０を形成しない場合には、シーラント層を有しないフィルムを用いることも可能である。
ベースフィルムとシーラント層を合わせたフィルム厚は、通常、５０〜２００μｍ程度である。
【００２３】
遮光層としては、可視光線域を遮断するインキ（黄色、朱色、橙色、赤色などを呈するインキ）をベースフィルムに印刷したり、ベースフィルムに金属蒸着層を設けることなどが例示される。
紫外線吸収層としては、ベンゾトリアゾール系化合物、ベンゾフェノン系化合物、シアノアクリレート系化合物、サリシレート系化合物などの有機系紫外線吸収剤、酸化チタン、酸化亜鉛、酸化セリウムなどの無機系紫外線遮断剤などを、適当なバインダーに分散・溶解させ、ベースフィルムに塗工することなどが例示される。
【００２４】
上記吊下げ袋状容器１は、例えば、注入具７を通じて、内部に充填物を充填封入した状態で提供される。
本発明の吊下げ袋状容器１を医療用に使用する場合には、例えば、充填物として流動食が封入される。該流動食を患者に投与する際、必要に応じて注入具７を通じて希釈液などを入れて充填物を補充する。
表裏面部２，３の両側に両側面ガセット部５，６が設けられている本発明の袋状容器１は、図３及び図４に示すように、充填時、両側面ガセット部５，６が膨らむことから比較的容量が大きく、充填物を十分に充填することができる。
【００２５】
かかる充填済み袋状容器１は、図５に示すように、吊下げ用の孔９をフックなどの被掛止部材４に嵌入することにより、被掛止部材４の設けられた支持台（図示せず）に吊り下げ状態で支持される。
そして、該袋状容器の注出具８にホースなどを取り付けることにより、注出具８から注出される流動食を患者に投与できる。
【００２６】
本発明の吊下げ袋状容器１は、一方の側面ガセット部５の折込み長さＬ５が、他方の側面ガセット部６の折込み長さＬ６に比して大きく形成されているので、充填済み袋状容器１は、一方の側面ガセット部５側が大きく膨らむようになる。従って、袋本体１０の幅方向中心部を基準として、一方の側面ガセット部５側が他方の側面ガセット部６側に比して重くなる。
他方、この袋状容器１の注入具７は、他方の側面ガセット部６寄りに接着されているので、袋本体１０の幅方向中心部を基準として、他方の側面ガセット部６側には注入具７の重量が加わることとなる。また、注出具８に取り付けられたホースなどの重量も加わる。
よって、充填済み袋状容器１は、袋本体１０の幅方向中心部を基準として、一方の側面ガセット部５側と他方の側面ガゼット部６側との重量が大凡均衡するから、袋本体１０の上シール部１０ａの幅方向中央部近傍に形成された吊下げ用の孔９にて吊り下げることにより、殆ど傾くことなく充填済み袋状容器１を吊り下げることができる。
従って、袋状容器１に充填された充填物が残り少なくなっても、充填物が袋状容器１内の隅部などに残存し難く、袋状容器１内の充填物を注出具８から注出することができる。
特に、袋本体１０の下シール部１０ｃは、注出具８側へと下がる傾斜状とされているので、次第に減量していく充填物が注出具８側に集まり易く、残り少なくなった充填物を注出具８から確実に注出することができる。
【００２７】
＜第２実施形態＞
第２実施形態は、一方の側面ガセット部５自体の重量が、他方の側面ガセット部６自体の重量よりも大きい袋状容器に係る。以下、主として、上記第１実施形態と異なる部分について説明し、同様の構成及び効果については説明を省略し、用語及び図番を援用することがある。
【００２８】
本実施形態の吊下げ袋状容器１は、図６及び図７に示すように、可撓性フィルムからなる表裏面部２，３と表裏面部２，３の両側に折り込まれた可撓性フィルムからなる両側面ガセット部５，６とを有し、表裏面部２，３と両側面ガセット部５，６の周囲が接着された袋本体１０と、表裏面部２，３の上シール部１０ａに介在して接着された注入具７と、表裏面部２，３の下シール部１０ｃに介在して接着された注出具８と、表裏面部２，３の上シール部１０ａに形成された吊下げ用の孔９と、を備える。
注入具７は、他方の側面ガセット部６寄りに接着され、吊下げ用の孔９は、上シール部１０ｃの幅方向中央部の近傍に位置して形成されている。
【００２９】
この両側面ガセット部５，６は、両方ともその折込み長さＬ５，Ｌ６が略均等に形成されている。この点では、従来の両側面ガセット部付きの袋状容器の構成と同様である。
このように本実施形態の袋状容器１は、側面ガセット部５，６が、同幅のフィルムにて形成されているが、一方の側面ガセット部５を構成するフィルムは、他方の側面ガセット部６を構成するフィルムよりも、重量の重いフィルムが用いられている。
尚、上記第１実施形態では、一方の側面ガセット部５は、折込み長さＬ５の大きいフィルムからなるので、該一方の側面ガセット部５自体の重量は、他方の側面ガセット部６自体の重量よりも大きいと言える。この点、本実施形態の袋状容器１は、略同幅のフィルムを用いつつ、一方の側面ガセット部５自体の重量が、他方の側面ガセット部６自体の重量よりも明らかに大きいフィルムを用いてなる。
【００３０】
該重量の重いフィルムとしては、単位面積当たりの重量の大きいフィルム（フィルム自体が重い）、一部分にウエイトを取り付けたフィルムなどが例示でき、一般的には単位面積当たりの重量の大きいフィルムが用いられる。
例えば、一方の側面ガセット部５を構成するフィルムとして、同じ厚みの樹脂フィルムに比して単位面積当たりの重量の大きいシートが積層された積層フィルムを用い他方の側面ガセット部６を構成するフィルムとして、該単位重量の大きいシートを有しないこと以外は同構成の積層フィルムを用いること等が例示される。同じ厚みの樹脂フィルムに比して単位面積当たりの重量の大きいシートとしては、例えば、アルミニウム箔などの金属製シート、金属微粒子を含むインキが塗工されたシート、金属微粒子を配合して製膜された樹脂シートなどが例示され、中でも、厚み１５〜２０μｍのアルミニウム箔や、比重が大きく且つ厚みのある（例えば２５μｍ程度）のポリエステルフィルムなどの積層フィルムを用いることが好ましい。
【００３１】
上記吊下げ袋状容器１は、一方の側面ガセット部５の重量が、他方の側面ガセット部６の重量に比して大きく形成されているので、袋本体１０の幅方向中心部を基準として、一方の側面ガセット部５側が他方の側面ガセット部６側に比して重くなる。
他方、この袋状容器１の注入具７は、他方の側面ガセット部６寄りに接着されているので、袋本体１０の幅方向中心部を基準として、他方の側面ガセット部６側には注入具７の重量が加わることとなる。
よって、充填済み袋状容器１は、袋本体１０の幅方向中心部を基準として、一方の側面ガセット部５側と他方の側面ガゼット部６側との重量が大凡均衡し、上記第１実施形態と同様に、殆ど傾くことなく充填済み袋状容器１を吊り下げることができる。
【００３２】
＜他の実施形態＞
本発明の吊下げ袋状容器１は、上記各実施形態に例示のものに限定されず、本発明の意図する範囲で適宜に変更することができる。
例えば、上記第１実施形態と第２実施形態を組み合わせてもよい。具体的には、一方の側面ガセット部５の構成フィルムとして、他方の側面ガセット部６の構成フィルムよりもフィルム自体の重量が重いフィルムであって、その形状が他方の側面ガセット部６のフィルムよりも幅広のフィルム（折込み長さの長いフィルム）を用いることも可能である。
【００３３】
また、上記第１及び第２実施形態に於いて、吊下げ用の孔９は、上シール部１０ａの幅方向中央部の近傍位置に設けられているが、幅方向中央部に設けられていてもよい。
さらに、注出具８は、袋本体１０の下シール部１０ｃの幅方向中央部に設けられているが、幅方向中央部の近傍位置或いはその他の位置に設けられていてもよい。
【００３４】
また、上記各実施形態に於ける袋状容器１には、注出具８が設けられているが、本発明の袋状容器１は、注出具８を有しないものでもよい。例えば、注出用のホースを袋本体１０に差し込んで充填物を注出する形式の袋状容器１でもよい。
【００３５】
本発明の吊下げ袋状容器は、輸液、流動食などを充填する医療用の袋状容器として好適であるが、その他の用途に用いることも可能である。
【図面の簡単な説明】
【００３６】
【図１】本発明の吊下げ袋状容器の一実施形態を示す正面図。
【図２】同袋状容器の参考分解図。
【図３】（ａ）は、同袋状容器に充填物を充填した状態を示す左側面図、（ｂ）は、同右側面図。
【図４】図３のＡ−Ａ線で切断した端面図。
【図５】使用状態を示す参考正面図。
【図６】本発明の吊下げ袋状容器の他実施形態を示す正面図。
【図７】同袋状容器の参考分解図。
【図８】従来の吊下げ袋状容器を示す正面図。
【符号の説明】
【００３７】
１…吊下げ袋状容器、２…表面部、３…裏面部、５…一方の側面ガセット部、Ｌ５…一方の側面ガセット部の折込み長さ、６…他方の側面ガセット部、Ｌ６…他方の側面ガセット部の折込み長さ、７…注入具、８…注出具、９…吊下げ用の孔、１０…袋本体、１０ａ…上シール部、１０ｃ…下シール部
【図１】
0005128078.tif 000002
【図２】
0005128078.tif 000003
【図３】
0005128078.tif 000004
【図４】
0005128078.tif 000005
【図５】
0005128078.tif 000006
【図６】
0005128078.tif 000007
【図７】
0005128078.tif 000008
【図８】
0005128078.tif 000009